(57)【要約】【課題】複数のサムネイルの重要度に応じてサムネイルの表示方法を変える。【解決手段】表示装置（端末１０）は、コンテンツから複数のサムネイルを抽出するサムネイル情報抽出部１２０と、前記コンテンツから抽出された複数のサムネイルを評価し、サムネイル毎に重要度を付けるコンテンツ情報収集部１４０と、コンテンツ情報収集部１４０により付けられた重要度に応じて複数のサムネイルの表示方法を変えるサムネイル一覧表示部１２５と、を有する。【選択図】図６
2011239075.tif 000002
【特許請求の範囲】
【請求項１】
コンテンツから複数のサムネイルを抽出するサムネイル情報抽出部と、
前記コンテンツから抽出された複数のサムネイルを評価し、サムネイル毎に重要度を付けるコンテンツ情報収集部と、
前記コンテンツ情報収集部により付けられた重要度に応じて前記複数のサムネイルの表示方法を変えるサムネイル一覧表示部と、を備える表示装置。
【請求項２】
前記サムネイル一覧表示部は、前記重要度に応じて複数のサムネイルのスクロール速度を変えながら前記複数のサムネイルを表示する請求項１に記載の表示装置。
【請求項３】
前記サムネイル一覧表示部は、前記重要度の高いサムネイルが前記重要度の低いサムネイルより遅くスクロールされるように前記複数のサムネイルを表示する請求項２に記載の表示装置。
【請求項４】
前記サムネイル一覧表示部は、前記重要度に応じて複数のサムネイルの表示サイズを変えながら前記複数のサムネイルを表示する請求項１〜３のいずれか一項に記載の表示装置。
【請求項５】
前記サムネイル一覧表示部は、前記重要度の高いサムネイルが前記重要度の低いサムネイルより大きく表示されるように前記複数のサムネイルを表示する請求項４に記載の表示装置。
【請求項６】
前記サムネイル一覧表示部は、前記重要度をグラフ化して前記複数のサムネイルとともに表示する請求項１〜５のいずれか一項に記載の表示装置。
【請求項７】
前記サムネイル一覧表示部は、前記重要度に応じて複数のサムネイルの表示色を変えながら前記複数のサムネイルを表示する請求項１〜６のいずれか一項に記載の表示装置。
【請求項８】
前記サムネイル一覧表示部は、前記複数のサムネイルの表示をオーバーラップさせながら前記複数のサムネイルを表示する請求項１〜７のいずれか一項に記載の表示装置。
【請求項９】
前記サムネイル一覧表示部は、前記重要度に応じて複数のサムネイルの表示位置を変えながら前記複数のサムネイルを表示する請求項１〜８のいずれか一項に記載の表示装置。
【請求項１０】
前記サムネイル一覧表示部は、前記重要度の高いサムネイルが前記重要度の低いサムネイルより画面の中央に表示されるように前記複数のサムネイルを表示する請求項９に記載の表示装置。
【請求項１１】
前記サムネイル情報抽出部は、複数のコンテンツに対して複数のサムネイルをそれぞれ抽出し、
前記サムネイル一覧表示部は、複数のコンテンツに対してそれぞれ抽出された複数のサムネイルを前記重要度に応じて表示方法を変えながら一括して表示する請求項１〜１０のいずれか一項に記載の表示装置。
【請求項１２】
前記複数のサムネイルは、前記コンテンツの内容の流れを断片的に表すように抽出される請求項１〜１１のいずれか一項に記載の表示装置。
【請求項１３】
前記コンテンツ情報収集部は、前記抽出された複数のサムネイルの画像と字幕に対してそれぞれ重要度を付け、
前記サムネイル一覧表示部は、前記コンテンツ情報収集部によりそれぞれ付けられたサムネイルの画像の重要度と字幕の重要度に応じて前記複数のサムネイルの表示方法を変える請求項１〜１２のいずれか一項に記載の表示装置。
【請求項１４】
サムネイル情報抽出部が、コンテンツから複数のサムネイルを抽出するステップと、
コンテンツ情報収集部が、前記コンテンツから抽出された複数のサムネイルを評価し、サムネイル毎に重要度を付けるステップと、
サムネイル一覧表示部が、前記重要度に応じて前記複数のサムネイルの表示方法を変えるステップと、を含む表示方法。
【請求項１５】
サムネイル情報抽出部が、コンテンツから複数のサムネイルを抽出する処理と、
コンテンツ情報収集部が、前記コンテンツから抽出された複数のサムネイルを評価し、サムネイル毎に重要度を付ける処理と、
サムネイル一覧表示部が、前記重要度に応じて前記複数のサムネイルの表示方法を変える処理と、をコンピュータに実行させるためのプログラム。
【発明の詳細な説明】
【技術分野】
【０００１】
本発明は、表示装置、表示方法及びプログラムに関し、より詳細には、サムネイルの表示装置、表示方法及びプログラムに関する。
【背景技術】
【０００２】
近年、多チャンネル化によりデジタル放送番組が増え、ネットワーク上の動画コンテンツも爆発的に増加し、多くの動画コンテンツが簡単に再生できるようになっている。一般に、動画コンテンツの内容は一枚のサムネイルで表現することが多い。よって、ユーザは一枚のサムネイル画像を見て、コンテンツ再生前にある程度コンテンツの内容を推測することができる。
【０００３】
しかしながら、動画コンテンツから適切なサムネイルを抽出することが難しい場合や、抽出した適切な複数のサムネイルにて動画コンテンツのすべてを表示することが難しい場合、サムネイルを見ただけでは動画コンテンツの内容を容易に推測できない。この結果、動画コンテンツから所望の動画の所望のシーンを探すために、煩雑な手間や多くの時間を浪費することとなる。よって、動画コンテンツの内容を瞬時に判断できるようにするためには、コンテンツの内容の流れを示す適切な数のサムネイルを快適に閲覧する手段を提供する必要がある。
【０００４】
そこで、動画コンテンツの中から適切なサムネイルを抽出し、所望のシーンを簡単に検索できるようにする手段として、従来から様々な技術が提案されている。たとえば、特許文献１は、所望の番組やシーンを選択することができる代表画像を抽出するものである。特許文献１では、映像信号を利用して静止画像を抽出し一覧表示を行うものであり、動画コンテンツを容易に検索する方法をユーザに提供している。
【０００５】
特許文献２は、動画コンテンツからあるシーンのサムネイルを抽出する方法に関して、コンテンツを再生する前にサムネイル画像を見るだけである程度コンテンツの内容を推測できるように、コンテンツ毎に異なる複数のルールに基づいてサムネイルを抽出し、表示する。
【先行技術文献】
【特許文献】
【０００６】
【特許文献１】特開２００２−２７４００号公報
【特許文献２】特開２００９−２４６７２２号公報
【発明の概要】
【発明が解決しようとする課題】
【０００７】
しかしながら、特許文献１は、代表画像を一枚だけサムネイルとして抽出するための技術であり、コンテンツの内容の流れを表すサムネイルの一覧をシーンの重要性等を考慮しながら表示させる方法を提供するものではない。このため、特許文献１では、サムネイルの表示により映像の内容を瞬時かつ的確に把握することは困難であった。
【０００８】
また、特許文献２は、映像の内容を的確に判断できるようにするために「サムネイルを抽出する」技術に関するものである。よって、特許文献２では、重要なシーンを示したサムネイルの表示方法をその他のサムネイルの表示方法と変えながら、サムネイル一覧を表示させる方法を提供するものではなかった。
【０００９】
上記課題に対して、本発明の目的とするところは、重要度に応じてサムネイルの表示方法を変えることが可能な、新規かつ改良された表示装置、表示方法及びプログラムを提供することにある。
【課題を解決するための手段】
【００１０】
上記課題を解決するために、本発明のある観点によれば、コンテンツから複数のサムネイルを抽出するサムネイル情報抽出部と、前記コンテンツから抽出された複数のサムネイルを評価し、サムネイル毎に重要度を付けるコンテンツ情報収集部と、前記コンテンツ情報収集部により付けられた重要度に応じて前記複数のサムネイルの表示方法を変えるサムネイル一覧表示部と、を備える表示装置が提供される。
【００１１】
かかる構成によれば、コンテンツから抽出された複数のサムネイルに対して重要度が付けられ、該重要度に応じて複数のサムネイルの表示の方法が変わる。これにより、ユーザは、コンテンツの内容全体の流れを素早く把握しながら、重要シーン（サムネイル）では詳細内容を見落とさないようにサムネイル一覧を閲覧することができる。よって、ユーザは、サムネイル一覧を見ただけで、実際のコンテンツを視聴しなくてもそのコンテンツの内容を容易に理解することができる。これにより、ユーザは、重要なシーンからコンテンツを再生する等の行動をとることができる。
【００１２】
前記サムネイル一覧表示部は、前記重要度に応じて複数のサムネイルのスクロール速度を変えながら前記複数のサムネイルを表示してもよい。
【００１３】
前記サムネイル一覧表示部は、前記重要度の高いサムネイルが前記重要度の低いサムネイルより遅くスクロールされるように前記複数のサムネイルを表示してもよい。
【００１４】
前記サムネイル一覧表示部は、前記重要度に応じて複数のサムネイルの表示サイズを変えながら前記複数のサムネイルを表示してもよい。
【００１５】
前記サムネイル一覧表示部は、前記重要度の高いサムネイルが前記重要度の低いサムネイルより大きく表示されるように前記複数のサムネイルを表示してもよい。
【００１６】
前記サムネイル一覧表示部は、前記重要度をグラフ化して前記複数のサムネイルとともに表示してもよい。
【００１７】
前記サムネイル一覧表示部は、前記重要度に応じて複数のサムネイルの表示色を変えながら前記複数のサムネイルを表示してもよい。
【００１８】
前記サムネイル一覧表示部は、前記複数のサムネイルの表示をオーバーラップさせながら前記複数のサムネイルを表示してもよい。
【００１９】
前記サムネイル一覧表示部は、前記重要度に応じて複数のサムネイルの表示位置を変えながら前記複数のサムネイルを表示してもよい。
【００２０】
前記サムネイル一覧表示部は、前記重要度の高いサムネイルが前記重要度の低いサムネイルより画面の中央に表示されるように前記複数のサムネイルを表示してもよい。
【００２１】
前記サムネイル情報抽出部は、複数のコンテンツに対して複数のサムネイルをそれぞれ抽出し、前記サムネイル一覧表示部は、複数のコンテンツに対してそれぞれ抽出された複数のサムネイルを前記重要度に応じて表示方法を変えながら一括して表示してもよい。
【００２２】
前記複数のサムネイルは、前記コンテンツの内容の流れを断片的に表すように抽出されてもよい。
【００２３】
前記コンテンツ情報収集部は、前記抽出された複数のサムネイルの画像と字幕に対してそれぞれ重要度を付け、前記サムネイル一覧表示部は、前記コンテンツ情報収集部によりそれぞれ付けられたサムネイルの画像の重要度と字幕の重要度に応じて前記複数のサムネイルの表示方法を変えるようにしてもよい。
【００２４】
また、上記課題を解決するために、本発明の別の観点によれば、サムネイル情報抽出部が、コンテンツから複数のサムネイルを抽出するステップと、コンテンツ情報収集部が、前記コンテンツから抽出された複数のサムネイルを評価し、サムネイル毎に重要度を付けるステップと、サムネイル一覧表示部が、前記重要度に応じて前記複数のサムネイルの表示方法を変えるステップと、を含む表示方法が提供される。
【００２５】
また、上記課題を解決するために、本発明の別の観点によれば、サムネイル情報抽出部が、コンテンツから複数のサムネイルを抽出する処理と、コンテンツ情報収集部が、前記コンテンツから抽出された複数のサムネイルを評価し、サムネイル毎に重要度を付ける処理と、サムネイル一覧表示部が、前記重要度に応じて前記複数のサムネイルの表示方法を変える処理と、をコンピュータに実行させるためのプログラムが提供される。
【発明の効果】
【００２６】
以上説明したように本発明によれば、サムネイルの重要度に応じてサムネイルの表示方法を変えることができる。
【図面の簡単な説明】
【００２７】
【図１】本発明の第１及び第２実施形態に係る端末の全体構成図である。
【図２】全体構成の変形例を示した図である。
【図３】第１実施形態に係るコンテンツ蓄積部の一例を示した図である。
【図４】第１実施形態に係るサムネイルの表示例を示した図である。
【図５】第１実施形態に係るサムネイルの表示方法を示したフローチャートである。
【図６】第１実施形態に係るサムネイルの表示方法を示したフローチャートである。
【図７】第１実施形態に係るサムネイルの表示方法を示したフローチャートである。
【図８】第１実施形態に係るサムネイルの表示例を示した図である。
【図９】第１実施形態に係るサムネイルの表示例を示した図である。
【図１０】第１実施形態に係るサムネイルの表示例を示した図である。
【図１１】第１実施形態に係るサムネイルの表示例を示した図である。
【図１２】第１実施形態に係るサムネイルの表示例を示した図である。
【図１３】第２実施形態に係るコンテンツ蓄積部の一例を示した図である。
【図１４】第２実施形態に係るサムネイルの表示例を示した図である。
【発明を実施するための形態】
【００２８】
以下に添付図面を参照しながら、本発明の実施形態について詳細に説明する。なお、本明細書及び図面において、実質的に同一の機能構成を有する構成要素については、同一の符号を付することにより重複説明を省略する。
【００２９】
なお、本発明の実施形態は次の順序で説明される。
＜第１実施形態＞
［端末の構成］
（コンテンツの評価）
（サムネイル一覧のスクロール）
［端末の表示処理１］
［端末の表示処理２］
［端末の表示処理３］
［サムネイルの表示変形例１］
［サムネイルの表示変形例２］
［サムネイルの表示変形例３］
［サムネイルの表示変形例４］
＜第２実施形態＞
【００３０】
＜第１実施形態＞
［端末の構成］
まず、本発明の第１実施形態に係る端末の概略構成について図１を参照しながら説明する。端末１０は、サムネイルやコンテンツを表示する表示装置の一例であり、表示装置はＰＣ、レコーダ、携帯端末、ＰＤＡ、その他の電子機器であってもよい。
【００３１】
端末１０は、入力部１０５、コンテンツ蓄積部１１０、コンテンツ再生部１１５、サムネイル情報抽出部１２０、サムネイル一覧表示部１２５、表示部１３０、通信部１３５、コンテンツ情報収集部１４０及び制御部１４５を有する。
【００３２】
入力部１０５は、ユーザの操作に応じて入力データを受け付ける。ユーザからの入力手段には様々なデバイスが利用可能であり、たとえば、リモコンのように入力部１０５が分離したもの、タッチパネル搭載の携帯端末のようにすべてのブロックが１つの端末に組み込まれているもの等が想定される。このため、ユーザの入力方法も、ボタン押下、画面タッチ、ジェスチャー等様々な方法が考えられる。図１の全体ブロック図はこれらの入力すべてをカバーするものである。
【００３３】
コンテンツ蓄積部１１０は、コンテンツやコンテンツから抽出したサムネイルを蓄積する。コンテンツ再生部１１５は、ユーザの操作に応じてコンテンツを再生する。
【００３４】
サムネイル情報抽出部１２０は、コンテンツ蓄積部１１０に蓄積されているコンテンツからあるルールに基づいて複数のサムネイルを抽出する。複数のサムネイルは、コンテンツの内容の流れを断片的に表すように抽出される。本実施形態に係る端末１０は、動画コンテンツからある一定のルールによりサムネイルを抽出し、ユーザからの入力に応じて、コンテンツ内容の情報に基づきサムネイルを適宜表示するものである。サムネイルの抽出には、これまでにも様々な技術が提案されている。このように、サムネイルの抽出方法については、上記各種技術のいずれかを用いればよく、本実施形態では、本実施形態の特徴部分である「複数のサムネイルの表示方法にサムネイルの重要度に応じた変化をつける」点を中心に説明する。
【００３５】
サムネイル一覧表示部１２５は、入力部１０５が受け付けたユーザの指示やサムネイルの重要度から複数のサムネイルの表示方法を変化させる。表示部１３０は、サムネイルの一覧を表示したり、コンテンツ画像を再生したりする。通信部１３５は、ネットワーク上の他の機器とデータを送受信する。コンテンツ情報収集部１４０は、通信部１３５を介してネットワーク上からコンテンツに関する情報を収集する。また、コンテンツ情報収集部１４０は、コンテンツから抽出された複数のサムネイルを評価し、サムネイル毎に重要度を付ける。制御部１４５は、これらの処理全体を制御する。
【００３６】
図１では、コンテンツ蓄積部１１０とコンテンツ情報収集部１４０は、端末内にあることを想定している。しかし、コンテンツに関する情報がすべてネットワーク３０上のサービスとして提供されているような形態であった場合には、図１の変形例である図２のブロック図に示した構成としてもよい。
【００３７】
すなわち、図１で示したコンテンツ蓄積部１１０とコンテンツ情報収集部１４０は、図２では、ネットワーク上の電子機器２０内のコンテンツ蓄積部２１０とコンテンツ情報収集部２４０とに置き換えることができる。この場合には、端末１０の通信部１３５と電子機器２０の通信部２３５とがデータを送受信することにより、端末１０は、コンテンツに関するデータをコンテンツ蓄積部２１０やコンテンツ情報収集部２４０から取得する。なお、以下では、図１で示したコンテンツ蓄積部１１０とコンテンツ情報収集部１４０を用いて本実施形態の説明を続ける。
【００３８】
（コンテンツの評価）
本実施形態では、サムネイルの表示処理の前に、まず、コンテンツ情報収集部１４０が、コンテンツ蓄積部１１０に格納されているコンテンツの内容を解析し、重要性が高いシーン（たとえば、盛り上がりシーン）にマークする。盛り上がりシーンを検出する手段に関しては、音声情報を利用する方法として特開２００４−１９１７８０号に記載されている技術を利用することができる。また、動画コンテンツのシーンの注目度を測る指標（たとえば、シーン別視聴率）があれば、それを利用することもできる。さらに、特開２００８−２２８１３４には、動画像記録単位シーンから、人物の顔を含むフレームを用いて顔サムネイルを取得し、表示する技術が開示されている。この技術を利用すれば、顔サムネイル画像に高い重要度を付与することができる。以上のように、コンテンツ情報収集部１４０は、重要性が高いシーンを検出するために様々な従来技術を用いることができる。ここでは、コンテンツ自身、もしくはネットワーク経由でシーン（サムネイル）別の重要性が評価できるものとし、「重要度」として各シーン（各サムネイル）にポイントを付ける。
【００３９】
こうした重要度の評価作業は、コンテンツの再生前であればいつでもよく、コンテンツ一覧へのアクセス時にバックグラウンドで行ったり、定期的にコンテンツ蓄積部１１０をクロールすることで実現する、といった方法が考えられる。
【００４０】
図３は、コンテンツ情報収集部１４０によりコンテンツの重要度を評価した結果をコンテンツ蓄積部１１０に蓄積した例を示す。コンテンツ蓄積部１１０は、コンテンツ名１１１、時間１１２、サムネイル番号１１３、サムネイル画像１１４、重要度１１５を格納している。ここでは、上述のように、コンテンツ情報収集部１４０が、コンテンツ蓄積部１１０に保存されたコンテンツ「プロ野球」番組にある盛り上がりシーン（たとえば、ホームランによる得点）を解析し、１分おきに重要度（０〜１００で推移）を評価しているものである。この結果が、コンテンツ蓄積部１１０に保存され、ユーザからの入力により、いつでも取得できる状態にある。これによれば、最も盛り上がったシーンはサムネイル番号５（重要度７０）、次に盛り上がったシーンはサムネイル番号３（重要度５０）であることがわかる。
【００４１】
（サムネイル一覧のスクロール）
図４Ａは、動画コンテンツの「プロ野球中継」のサムネイル５枚を表示させた様子である。数字が大きいほど、また右にあるほど、時間が進んでいることを示している。この状態で、ユーザが右方向を指示すると、図４Ｂのように、３番のサムネイルが少し左側に移動し、中心近くに５番のサムネイルがくることになる。ユーザが方向を指示する方法は、どんな方法でもよく、たとえば、右ボタンを押す、ジェスチャーで右を指示する、タッチパネルに指を載せ右にフリックする、携帯デバイスを右に傾ける等の様々な手段が考えられる。
【００４２】
［端末の表示処理１］
本実施形態にかかる表示処理をフローチャートで示したものが図５である。図５の動作は、最初にユーザがある動画コンテンツを選択して、ボタン操作によりサムネイル一覧からシーンを選択し、選択したシーンから動画コンテンツを再生することを想定している。
【００４３】
まず、ユーザがある動画コンテンツを選択すると（Ｓ５０５）、その入力操作に応じて、サムネイル一覧表示部１２５は、選択された動画コンテンツのサムネイル情報を読み出す（Ｓ５１０）。次に、サムネイル一覧表示部１２５は、中心サムネイル近傍までスクロールしてサムネイルを表示する（Ｓ５１５）。たとえば、図４Ａの状態ではサムネイル番号３のサムネイルが中央に表示されている。
【００４４】
次に、サムネイル一覧表示部１２５は、ユーザの入力操作を判定し（Ｓ５２０）、ユーザの入力が右ボタンであれば、未来のサムネイル（図４Ａのより右側に位置するサムネイル）を中心サムネイルとする（Ｓ５２５）。たとえば、図４Ｂの状態では、中央に表示されるサムネイルが、サムネイル番号３からサムネイル番号５に変化している。その際、サムネイル一覧表示部１２５は、重要度の高いサムネイルが重要度の低いサムネイルより画面の中央に表示されるように複数のサムネイルを表示することが好ましい。
【００４５】
一方、ユーザの入力が左ボタンであれば、過去のサムネイル（図４Ａのより左に位置するサムネイル）を中心サムネイルとする（Ｓ５３０）。さらに、ユーザの入力が決定ボタンであれば、表示されているサムネイルの位置（場所）から動画コンテンツを再生する（Ｓ５３５）。
【００４６】
このように、サムネイル一覧表示部１２５は、ユーザの指示に応じて、又は重要度に応じて複数のサムネイルの表示位置を変えながら複数のサムネイルを表示する。これによれば、図４Ａ及び図４Ｂに示しように、重要シーン（サムネイル）は中心側に表示されるため見やすくかつ注目されやすい。このため、ユーザは、コンテンツの内容の全体の流れを素早く把握しながら、中心側に表示される重要シーン（サムネイル）では詳細内容を見落とさないようにサムネイル一覧を閲覧することができる。
【００４７】
［端末の表示処理２］
図５の動作ブロック中のＳ５１５の「中心サムネイル近傍までスクロールしてサムネイルを表示する」を改良したものが図６である。この例では、重要度に応じてスクロール速度を変化させることにより、複数のサムネイルの表示方法を変える。
【００４８】
まず、ユーザの入力を受け付けると（Ｓ６０５）、その入力操作に応じて、サムネイル一覧表示部１２５は、表示するサムネイル群を決定する（Ｓ６１０）。次に、サムネイル一覧表示部１２５は、表示するサムネイル群に重要度が７０以上のサムネイルが存在するかを判定する（Ｓ６１５）。重要度が７０以上のサムネイルが存在する場合、サムネイルをスクロールする速度を遅くする（Ｓ６２０）。
【００４９】
一方、Ｓ６１５にて、重要度が７０以上のサムネイルが存在しない場合、一覧表示部１２５は、表示するサムネイル群に重要度が５０以上のサムネイルが存在するかを判定する（Ｓ６２５）。重要度が５０以上のサムネイルが存在する場合、サムネイルのスクロール速度を中程度にする（Ｓ６３０）。
【００５０】
一方、Ｓ６２５にて、重要度が５０以上のサムネイルが存在しない場合、一覧表示部１２５は、サムネイルのスクロール速度を速くする（Ｓ６３５）。次に、サムネイルの一覧表示が終了かを判定し（Ｓ６４０）、上記スクロール速度を変えてサムネイルを表示する動作は終了と判定されるまで、Ｓ６０５に戻ってＳ６０５〜Ｓ６４０の処理を繰り返す。
【００５１】
このように、図６では、重要度を評価する基準例として、重要度が７０以上であればスクロール速度を遅くし、重要度が５０以上７０未満であれば中程度のスクロール速度にし、重要度が５０未満であればスクロール速度を速くする、というルールを設けている。
【００５２】
通常のサムネイル自動スクロールでは、ボタンの押し方や、フリックの強さによって、サムネイルを時間軸方向にスクロールすることが一般的である。その際、スクロールの速度は一定か、慣性により加速・減速したりする程度である。
【００５３】
これに対して、本実施形態では、サムネイル一覧表示部１２５が、重要度に応じて複数のサムネイルのスクロール速度を変えながら複数のサムネイルを表示する。より具体的には、サムネイル一覧表示部１２５は、重要度の高いサムネイルが重要度の低いサムネイルより遅くスクロールされるように複数のサムネイルを表示する。すなわち、重要度が高いサムネイルが表示される際にはスクロール速度を遅くし、重要度が低いサムネイルが表示される際にはスクロール速度を速める、という工夫をしている。
【００５４】
これによれば、動画コンテンツのサムネイルをコントローラの入力（リモコン、ジェスチャー、タップ等）に合わせて滑らかに自動スクロール表示しつつ、重要なシーンを識別し易いようにスクロール速度を変更する。たとえば、重要シーン（サムネイル）はゆっくりと長い時間表示されるため見やすくかつ注目されやすい。このため、ユーザは、コンテンツの内容の全体の流れを素早く把握しながら、重要シーン（サムネイル）では詳細内容を見落とさないようにサムネイル一覧を閲覧することができる。
【００５５】
なお、スクロール速度の変化する段階をさらに増やす、という変形例も考えられる。また、極めて重要なサムネイルが表示された場合には、スクロール速度を０にする、すなわち、スクロールを止めてしまうという変形例も考えられる。
【００５６】
［端末の表示処理３］
図６は、サムネイル群の全体をスクロール表示するアルゴリズムであった。これに対して、図７は、各サムネイルを表示するアルゴリズムである。スクロール中は、表示領域に入ったサムネイルは１枚ずつ描画されるが、図７では、重要度に応じてサムネイルの表示サイズを変える。
【００５７】
まず、ユーザの入力操作に応じて、サムネイル一覧表示部１２５は、表示するサムネイルを一つ決定する（Ｓ７０５）。次に、サムネイル一覧表示部１２５は、決定されたサムネイルの重要度が５０未満かを判定する（Ｓ７１０）。サムネイルの重要度が５０未満の場合、小サイズでサムネイルを表示する（Ｓ７１５）。
【００５８】
一方、Ｓ７１０にて、サムネイルの重要度が５０以上の場合、一覧表示部１２５は、サムネイルの重要度が７０未満かを判定する（Ｓ７２０）。サムネイルの重要度が７０未満の場合、中サイズでサムネイルを表示する（Ｓ７２５）。
【００５９】
一方、Ｓ７２０にて、サムネイルの重要度が７０以上である場合、一覧表示部１２５は、大サイズでサムネイルを表示する（Ｓ７３０）。次に、その他にも表示すべきサムネイルがあるかを判定し（Ｓ７３５）、表示すべきサムネイルがなくなるまで、Ｓ７０５に戻ってＳ７０５〜Ｓ７３５の処理を繰り返す。
【００６０】
図７の表示処理では、サムネイル一覧表示部１２５は、重要度に応じて表示サイズを変えながら複数のサムネイルを表示する。ここでは、サムネイル一覧表示部１２５は、重要度の高いサムネイルが重要度の低いサムネイルより大きく表示されるように制御する。
【００６１】
ここでも、図６と同様にサムネイルの重要度を用いて、サムネイルの重要度が５０未満であれば小サイズ、５０以上７０未満であれば普通サイズ、７０以上であれば大サイズで表示する。このアルゴリズムに基づき、実際にサムネイルを表示させた例を図８に示す。図８では、サムネイル５番が重要度５５、サムネイル１０番が重要度８０であるものとする。図８のようにサムネイル一覧の表示サイズを変化させることにより、重要度が高いサムネイルが大きく表示される。このため、ユーザは、サムネイル一覧のスクロール中に重要なシーンに容易に気づくことができる。
【００６２】
［サムネイルの表示変形例１］
次に、以上に説明したサムネイルの表示の変形例１〜４について、図９〜１２を参照しながら説明する。サムネイルの表示変形例１では、サムネイル一覧表示部１２５は、重要度をグラフ化して複数のサムネイルとともに表示する。図９では、重要度をグラフＧで表示し、サムネイル一覧にオーバーレイした様子を示したものである。これも図７に示した表示処理のアルゴリズムを用いて実現することができる。グラフＧを表示することにより、サムネイルの大きさを変えずに一目で重要なシーンを判別することができる。ここでは、サムネイル５番が最も重要なシーンであり、サムネイル２番が次に重要なシーンであることがわかる。これによれば、サムネイル毎の重要度の大きさがグラフの曲線を用いて視覚的に表現されるため、ユーザは、サムネイル一覧のスクロール中に重要なシーンに容易に気づくことができる。
【００６３】
［サムネイルの表示変形例２］
サムネイルの表示変形例２では、サムネイル一覧表示部１２５は、重要度に応じて複数のサムネイルの表示色を変えながら複数のサムネイルを表示する。たとえば、図１０は、サムネイル画像に透過色のフィルターＦ（Ｆ１，Ｆ２）をかぶせ、その色の濃淡で重要度を示したものである。図９と同様に、フィルターＦ１の色で示したサムネイル５番が最も重要なシーンであり、フィルターＦ２の色で示したサムネイル２番が次に重要なシーンであることがわかる。これによれば、サムネイル毎の重要度の大きさが色を用いて視覚的に表現されるため、ユーザは、サムネイル一覧のスクロール中に重要なシーンに容易に気づくことができる。
【００６４】
［サムネイルの表示変形例３］
サムネイルの表示変形例３では、サムネイル一覧表示部１２５は、複数のサムネイル同士の表示をオーバーラップさせながら複数のサムネイルを表示する。たとえば、図１１には、サムネイル画像群全体の横幅Ｗを変更しないまま、重要なシーンのサムネイル（サムネイル番号５やサムネイル番号２）を他のサムネイルにオーバーラップさせて拡大表示する例が示されている。横方向は、一枚のサムネイルが明示的に時間幅を示していることがあるので、このような表示方法が効果的になる場合がある。
【００６５】
［サムネイルの表示変形例４］
サムネイルの表示変形例４では、複数のコンテンツに対してそれぞれ抽出された複数のサムネイルを一括して表示する。つまり、サムネイル情報抽出部１２０は、複数のコンテンツに対して複数のサムネイルをそれぞれ抽出する。サムネイル一覧表示部１２５は、複数のコンテンツに対してそれぞれ抽出された複数のサムネイルを前記重要度に応じて表示方法を変えながら一括して表示する。
【００６６】
たとえば、図１２は、複数チャンネルのテレビ番組を同時にサムネイル表示している例を示したものである。この変形例においても、重要度に応じて各コンテンツのサムネイルの表示方法を変化させる。これにより、たくさんのチャンネルの内容の流れを同時に、かつ簡単に把握することができるというメリットが期待できる。
【００６７】
デジタルテレビや動画サイトの普及により、チャンネル数や総コンテンツ数が増えているため、所望のコンテンツの所望のシーンを探すための仕組みやユーザインタフェースが重要になっている。このような状況に対して、本実施形態を用いれば、複数のコンテンツの内容の流れを把握しつつ、重要なシーンを容易に発見できるという効果がある。
【００６８】
なお、第１実施形態に示した各種のサムネイル表示方法は、任意に組み合わせることが可能であり、組み合わせに応じてサムネイル一覧の表示方法にさらなる変化を付けることができる。たとえば、重要度の高いサムネイルを表示する場合には、サムネイルの表示サイズを大きくしながら、スクロール速度を遅くしてもよい。これにより、重要なシーンを逃さないという点で大きな効果が期待できる。
【００６９】
＜第２実施形態＞
次に、本発明の第２実施形態に係る端末１０の動作について図１３及び図１４を参照しながら説明する。第２実施形態では、サムネイルの画像と字幕に対してそれぞれ重要度を設ける点で、サムネイルの画像に対してのみ重要度を設ける第１実施形態と異なる。図１３は、上記２種類の重要度を評価した結果をコンテンツ蓄積部１１０に蓄積した例を示す。
【００７０】
コンテンツ蓄積部１１０は、コンテンツ名１１１、時間１１２、サムネイル番号１１３、サムネイル画像１１４、サムネイル重要度１１６に加え、字幕１１７、字幕重要度１１８をさらに格納している。ここでは、コンテンツ情報収集部１４０が、コンテンツ蓄積部１１０に保存されたコンテンツ「プロ野球」番組にある盛り上がりシーン（たとえば、ホームランによる得点）を画像と字幕に対して解析し、１分おきに各種重要度として評価する。この結果が、サムネイル重要度１１６及び字幕重要度１１８としてコンテンツ蓄積部１１０に記憶される。
【００７１】
サムネイル一覧表示部１２５は、コンテンツ情報収集部１４０によりそれぞれ付けられたサムネイルの画像の重要度（サムネイル重要度１１６）と字幕の重要度（字幕重要度１１８）に応じて複数のサムネイルの表示方法を変える。
【００７２】
図１４では、サムネイルの表示サイズをサムネイル重要度１１６に応じて変化させて表示するとともに、字幕重要度１１８に応じて各サムネイルに表示する字幕のサイズを変化させてサムネイル中に表示する。ここでは、最も盛り上がった画像上のシーンはサムネイル番号５、次に盛り上がったシーンはサムネイル番号３であることがわかる。また、字幕の大きさからも、サムネイル番号５が最も盛り上がったシーンであることがわかる。なお、ここでは、字幕重要度１１８が４０未満のものについては、表示しないようにしている。
【００７３】
第１実施形態では、サムネイル画像の重要度のみを利用していたが、第２実施形態では、サムネイルの画像の重要度（サムネイル重要度１１６）と字幕の重要度（字幕重要度１１８）に応じて複数のサムネイルの表示方法を変えることにより動画コンテンツの内容の流れを把握しつつ、重要なシーンをサムネイル画像及び字幕から容易に識別することができる。
【００７４】
なお、第２実施形態では、サムネイル画像の重要度と字幕の重要度とは連動せず、全く異なる値になる可能性がある。よって、字幕の表示方法に関しても、サムネイル画像の表示サイズを変化させるための図７の動作フローと同様のフローを用いて、サムネイル画像の表示方法とは別個に制御される。
【００７５】
以上に説明したように、各実施形態によれば、コンテンツの内容の流れを把握しつつ、重要なシーン（サムネイル）を容易に識別し、コンテンツ全体を一覧できるユーザインタフフェースとシステムを提供することができる。
【００７６】
従来、動画コンテンツの内容の流れを素早く把握しようと思うと、サムネイル全体を高速にスクロールする必要があり、詳細な内容を見落としがちになっていた。これに対して、本実施形態に係る表示方法を用いれば、高速なスクロール中でも、重要シーンに対してはスクロール速度を遅くしたり、重要シーンを大きく表示したりする等のマークアップ表示が可能なため、重要シーンの詳細内容を見落とさないという効果を期待できる。
【００７７】
今後は、タッチパネル搭載機器や、コントローラの操作性が向上することで、動画を再生するだけでなく、静止画の連続、コマ送りとしての動画の価値も向上すると考えられる。よって、スクロールにより動画を鑑賞する、というスタイルを実現するためには、本実施形態の利用価値は高いと考えられる。
【００７８】
なお、上記各実施形態の各部への指令は、専用の制御デバイスあるいはプログラムを実行するＣＰＵ（図示せず）により実行される。上記表示処理フローを実行するためのプログラムは、ＲＯＭや不揮発性メモリ（ともに図示せず）に予め記憶されていて、ＣＰＵが、これらのメモリから各プログラムを読み出し実行することにより、各部の各機能が実現される。
【００７９】
上記第１〜第３の実施形態において、各部の動作は互いに関連しており、互いの関連を考慮しながら、一連の動作及び一連の処理として置き換えることができる。これにより、表示装置（端末）の実施形態を、表示方法の実施形態及び表示装置が有する機能をコンピュータに実現させるためのプログラムの実施形態とすることができる。
【００８０】
これにより、サムネイル情報抽出部が、コンテンツから複数のサムネイルを抽出するステップと、前記コンテンツ情報収集部が、前記コンテンツから抽出された複数のサムネイルを評価し、サムネイル毎に重要度を付けるステップと、前記サムネイル一覧表示部が、前記重要度に応じて前記複数のサムネイルの表示方法を変えるステップと、を含む表示方法を提供することができる。
【００８１】
また、これにより、サムネイル情報抽出部が、コンテンツから複数のサムネイルを抽出する処理と、前記コンテンツ情報収集部が、前記コンテンツから抽出された複数のサムネイルを評価し、サムネイル毎に重要度を付ける処理と、前記サムネイル一覧表示部が、前記重要度に応じて前記複数のサムネイルの表示方法を変える処理と、をコンピュータに実行させるためのプログラムを提供することができる。
【００８２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００８３】
例えば、上記実施形態では、重要度の算出方法として、盛り上がり度や人気度（視聴率）等に言及したが、本発明はかかる例に限定されず、例えば、監視カメラのようなアプリケーションも想定できる。たとえば、監視カメラによるモニタリング中に、不審者が発見されたシーンのサムネイルの重要度を上げておくことにより、一覧で監視する際には目立たせて表示するということも可能である。
【符号の説明】
【００８４】
１０            端末
１０５          入力部
１１０，２１０  コンテンツ蓄積部
１１１          コンテンツ名
１１２          時間
１１３          サムネイル番号
１１４          サムネイル画像
１１６          サムネイル重要度（重要度）
１１７          字幕
１１８          字幕重要度
１１５          コンテンツ再生部
１２０          サムネイル情報抽出部
１２５          サムネイル一覧表示部
１３０          表示部
１３５，２３５  通信部
１４０，２４０  コンテンツ情報収集部
１４５          制御部
【図１】
2011239075.tif 000003
【図２】
2011239075.tif 000004
【図３】
2011239075.tif 000005
【図４】
2011239075.tif 000006
【図５】
2011239075.tif 000007
【図６】
2011239075.tif 000008
【図７】
2011239075.tif 000009
【図８】
2011239075.tif 000010
【図９】
2011239075.tif 000011
【図１０】
2011239075.tif 000012
【図１１】
2011239075.tif 000013
【図１２】
2011239075.tif 000014
【図１３】
2011239075.tif 000015
【図１４】
2011239075.tif 000016